(57)【要約】【課題】平衡伝送システムにおける伝送線路の平衡状態を簡単に精度良く検出することが可能な線路状態検出装置を提供する。【解決手段】第１の通信装置１００は、パイロット信号生成部１４で生成したパイロット信号を所定のタイミングで送信し、パイロット信号伝送時の伝送線路３００の不平衡成分を不平衡成分検出部１３で検出し、検出した不平衡成分に基づいて送信制御部１２によって不平衡成分が減少するように送信信号を制御する。【選択図】図１
2006186734.tif 000002
【特許請求の範囲】
【請求項１】
一対の導体を用いてデータ伝送を行う平衡伝送システムにおける伝送線路の状態を検出する線路状態検出装置であって、
前記一対の導体間の不平衡成分を検出する不平衡成分検出部を備え、
前記不平衡成分検出部は、前記不平衡成分を検出するためのパイロット信号を伝送時の前記一対の導体の状態に基づき前記不平衡成分を検出する線路状態検出装置。
【請求項２】
請求項１記載の線路状態検出装置であって、
前記不平衡成分検出部は、前記一対の導体間の不平衡成分を直接検出する線路状態検出装置。
【請求項３】
請求項１記載の線路状態検出装置であって、
前記不平衡成分検出部は、前記導体に流れる電流又は前記導体の電圧又はその両方を、各々の導体別に検出し、前記導体別の電流の差分又は前記導体別の電圧の差分又はその両方を求めることによって前記不平衡成分を算出する線路状態検出装置。
【請求項４】
請求項１ないし３のいずれか１項記載の線路状態検出装置であって、
前記一対の導体は、電力線である線路状態検出装置。
【請求項５】
請求項１ないし４のいずれか１項記載の線路状態検出装置であって、
前記パイロット信号は、信号レベルが既知の単一キャリア信号である線路状態検出装置。
【請求項６】
請求項１ないし４のいずれか１項記載の線路状態検出装置であって、
前記パイロット信号は、信号レベルが既知でかつ通信周波数帯域にわたりスィープする単一キャリア信号である線路状態検出装置。
【請求項７】
請求項１ないし４のいずれか１項記載の線路状態検出装置であって、
前記パイロット信号は、送信フレーム毎に異なる周波数の信号である線路状態検出装置。
【請求項８】
請求項１ないし４のいずれか１項記載の線路状態検出装置であって、
前記パイロット信号は、通信周波数帯域において使用する全てのキャリア信号であって信号レベルが既知のキャリア信号である線路状態検出装置。
【請求項９】
請求項８記載の線路状態検出装置であって、
前記複数のキャリア信号のうちの隣接したキャリア信号は、互いに直交した信号である線路状態検出装置。
【請求項１０】
請求項１ないし４のいずれか１項記載の線路状態検出装置であって、
前記パイロット信号は、通信周波数帯域において使用する全てのキャリア信号のうちの離散的に選択した複数のキャリア信号であって信号レベルが既知のキャリア信号である線路状態検出装置。
【請求項１１】
請求項１０記載の線路状態検出装置であって、
前記パイロット信号の周波数以外の通信帯域の前記不平衡成分を、前記不平衡成分検出部の出力に基づいて算出する算出部を備える線路状態検出装置。
【請求項１２】
請求項１１記載の線路状態検出装置であって、
前記算出部は、前記パイロット信号の周波数以外の通信帯域の前記不平衡成分を、前記不平衡成分検出部の出力のうちの隣接する周波数帯域の出力の相加平均によって算出する線路状態検出装置。
【請求項１３】
請求項１１記載の線路状態検出装置であって、
前記算出部は、前記パイロット信号の周波数以外の通信帯域の前記不平衡成分を、前記不平衡成分検出部の出力のうちの隣接する周波数帯域の出力の重み付け平均によって算出する線路状態検出装置。
【請求項１４】
請求項１１記載の線路状態検出装置であって、
前記算出部は、前記不平衡成分検出部が出力する周波数帯域の外側の帯域の前記不平衡成分を、最隣接の周波数帯域の前記パイロット信号から得られる前記不平衡成分で代用する線路状態検出装置。
【請求項１５】
請求項１ないし４のいずれか１項記載の線路状態検出装置であって、
前記パイロット信号は、通信周波数帯域において使用する複数キャリア信号であって信号レベルが既知の第１のキャリア信号と、前記第１のパイロット信号として送信後、更に送信される信号レベルが既知の特定周波数の単一キャリア信号である線路状態検出装置。
【請求項１６】
請求項１５記載の線路状態検出装置であって、
前記特定周波数の単一キャリア信号は、前記第１のキャリア信号を利用して検出した不平衡成分が大きい周波数帯域のキャリア信号である線路状態検出装置。
【請求項１７】
請求項１ないし１６のいずれか１項記載の線路状態検出装置であって、
前記パイロット信号は、伝送すべきデータの伝送停止期間に送信されるものである線路状態検出装置。
【請求項１８】
請求項１ないし１６のいずれか１項記載の線路状態検出装置であって、
前記パイロット信号は、伝送すべきデータの信号列内の一部又は複数の部分に含まれて送信されるものである線路状態検出装置。
【請求項１９】
請求項１ないし１６のいずれか１項記載の線路状態検出装置であって、
前記パイロット信号は、通信システム共通の基準タイミング信号から一定の時間内に送信されるものである線路状態検出装置。
【請求項２０】
請求項１９記載の線路状態検出装置であって、
前記パイロット信号は、通信システム共通の基準タイミング信号から一定の時間内に、当該通信システムを構成する各通信装置に対応したタイミングで時分割で送信されるものである線路状態検出装置。
【請求項２１】
請求項１ないし１６のいずれか１項記載の線路状態検出装置であって、
前記パイロット信号は、当該通信システムを構成する通信装置毎に割り当てられ、割り当てられたそれぞれのパイロット信号は、通信周波数帯域内で、互いに異なる帯域で送信されるものである線路状態検出装置。
【請求項２２】
請求項１ないし４のいずれか１項記載の線路状態検出装置であって、
前記パイロット信号は、受信側でのＡＧＣのために送信されるＡＧＣ基準信号である線路状態検出装置。
【請求項２３】
請求項１ないし４のいずれか１項記載の線路状態検出装置であって、
前記パイロット信号は、伝送線路の伝送特性を推定するための特性推定用基準信号である線路状態検出装置。
【請求項２４】
請求項１ないし４のいずれか１項記載の線路状態検出装置であって、
前記パイロット信号は、受信側での復調のための復調用基準信号である線路状態検出装置。
【請求項２５】
請求項１ないし４のいずれか１項記載の線路状態検出装置であって、
前記パイロット信号は、通信信号の先頭を示すヘッダ信号である線路状態検出装置。
【請求項２６】
請求項１ないし２５のいずれか１項記載の線路状態検出装置であって、
前記パイロット信号は、商用電源のゼロクロス点又はその近傍で送信されるものである線路状態検出装置。
【請求項２７】
請求項１ないし２５のいずれか１項記載の線路状態検出装置であって、
前記パイロット信号は、商用電源のゼロクロス点から９０度となる位相又はその近傍又は前記ゼロクロス点から−９０度となる位相又はその近傍で送信されるものである線路状態検出装置。
【請求項２８】
請求項１ないし２５のいずれか１項記載の線路状態検出装置であって、
前記パイロット信号は、商用電源のゼロクロス点から一定の期間内に送信されるものである線路状態検出装置。
【請求項２９】
一対の導体を用いてデータ伝送を行う平衡伝送システムに用いる通信装置であって、
請求項１ないし２８のいずれか１項記載のパイロット信号を含む送信信号を送信する送信部と、
請求項１ないし２８のいずれか１項記載の線路状態検出装置からなる送信時線路状態検出装置を備え、
前記送信時線路状態検出装置における前記不平衡成分検出部は、前記送信部から送信される前記パイロット信号伝送時の前記一対の導体の状態に基づき前記不平衡成分を検出する通信装置。
【請求項３０】
請求項２９記載の通信装置であって、
前記送信側線路状態検出装置の出力に基づき、前記導体に対し出力する送信信号を制御する送信信号制御部を備える通信装置。
【請求項３１】
請求項３０記載の通信装置であって、
前記送信信号制御部は、前記伝送線路の不平衡成分を低減させる制御を行う通信装置。
【請求項３２】
請求項３０又は３１記載の通信装置であって、
前記送信信号制御部は、前記送信信号の送信電力を制御する通信装置。
【請求項３３】
請求項３０ないし３２のいずれか１項記載の通信装置であって、
前記送信信号制御部は、通信に利用するキャリアの選択を行う通信装置。
【請求項３４】
一対の導体を用いてデータ伝送を行う平衡伝送システムに用いる通信装置であって、
請求項１ないし２８のいずれか１項記載の線路状態検出装置からなる受信時線路状態検出装置を備え、
前記受信時線路状態検出装置における前記不平衡成分検出部は、他の通信装置から送信される前記パイロット信号伝送時の前記一対の導体の状態に基づき前記不平衡成分を検出する通信装置。
【請求項３５】
請求項３４記載の送信装置であって、
前記受信時線路状態検出装置の出力に基づき、前記導体に対し出力する送信信号を制御する送信信号制御部を備える通信装置。
【請求項３６】
請求項３５記載の通信装置であって、
前記送信信号制御部は、前記伝送線路の不平衡成分を低減させる制御を行う通信装置。
【請求項３７】
請求項３５又は３６記載の通信装置であって、
前記送信信号制御部は、前記送信信号の送信電力を制御する通信装置。
【請求項３８】
請求項３５ないし３７のいずれか１項記載の通信装置であって、
前記送信信号制御部は、通信に利用するキャリアの選択を行う通信装置。
【請求項３９】
一対の導体を用いてデータ伝送を行う平衡伝送システムであって、
前記請求項３０ないし３３のいずれか１項記載の通信装置を備える平衡伝送システム。
【請求項４０】
請求項３９記載の平衡伝送システムであって、
さらに前記請求項３５ないし３８のいずれか１項記載の通信装置を備える平衡伝送システム。
【請求項４１】
一対の導体を用いてデータ伝送を行う通信方法であって、
前記一対の導体間の不平衡成分を検出するためのパイロット信号を送信する工程と、
前記パイロット信号を伝送時の前記一対の導体の状態に基づき前記不平衡成分を検出する工程を備える通信方法。
【発明の詳細な説明】
【技術分野】
【０００１】
本発明は、一対の導体を用いてデータ伝送を行う平衡伝送システムにおける伝送線路の状態を検出する線路状態検出装置、及びこれを備える通信装置並びに平衡伝送システムに関する。
【背景技術】
【０００２】
従来より、平衡状態にある一対の伝送線路を用いてデータ伝送を行う平衡伝送システムが広く用いられている。この種の平衡伝送システムでは、例えば電話回線などのように、専用の通信線などによる伝送線路が用いられることが多く、通常、ある程度の平衡度が保たれている。
【０００３】
従来の平衡伝送装置の送信部及び伝送線路の一例を図２５に示す。この平衡伝送装置は、送信部９１から伝送用トランスＴ９２を介して一対の導体Ｗ１、Ｗ２からなる伝送線路に信号を送出する構成となっている。このとき、送信部９１から送出する送信信号の電流は送信部９１及び伝送線路Ｗ１、Ｗ２の特性に依存する。
【０００４】
送信部から受信部に至る伝送線路は、本来完全に平衡であることが要求されるが、実際には、送信部及び受信部における不平衡要素や、伝送線路の配線の状況や途中に接続される機器による不平衡成分等があり、伝送線路の導体Ｗ１、Ｗ２に流れる電流は、完全に平衡しているとはいえないのが実情である。このように伝送線路に流れる電流が不平衡であると、送信電力の一部が伝送線路から外部へ漏洩し、データの伝送特性が劣化したり、干渉などの不具合が生じる。
【０００５】
最近では、商用電源などの電力を搬送する電力線に高周波信号を重畳してデータ伝送を行う平衡伝送システムが提案されている。特にこのような電力線は、本来は通信用の線路ではないため、個々の宅内での配線状況、電源に接続される機器などによって、平衡度がばらつくことがある。このため、電力線を伝送線路として用いた場合に、個々の環境によって平衡度が変化し、伝送特性が大きく異なってしまうおそれがある。
【０００６】
特許文献１には、送信側又は受信側の導体の電圧又は電流から不平衡成分を検出し、検出した不平衡成分が小さくなるように送信制御を行う平衡伝送装置が記載されている。
【０００７】
しかし、特許文献１には、不平衡成分を検出するための具体的な方法については記載されていない。
【０００８】
【特許文献１】特開２００４−１４０５６５号公報
【発明の開示】
【発明が解決しようとする課題】
【０００９】
本発明は、上記事情に鑑みてなされたもので、平衡伝送システムにおける伝送線路の平衡状態を簡単に精度良く検出することが可能な線路状態検出装置を提供することを目的とする。
【００１０】
また、本発明は、伝送線路の平衡状態を検出結果に基づいて制御でき、平衡度を向上させることが可能な平衡伝送システムの通信装置、通信方法を提供することを目的とする。
【課題を解決するための手段】
【００１１】
本発明の線路状態検出装置は、一対の導体を用いてデータ伝送を行う平衡伝送システムにおける伝送線路の状態を検出する線路状態検出装置であって、前記一対の導体間の不平衡成分を検出する不平衡成分検出部を備え、前記不平衡成分検出部は、前記不平衡成分を検出するためのパイロット信号を伝送時の前記一対の導体の状態に基づき前記不平衡成分を検出するものである。
【００１２】
本発明によれば、伝送線路で伝送されるパイロット信号としてその素性（レベル、質等）が既知ものを利用することができるので、平衡伝送システムにおける伝送線路の平衡状態を簡単に精度良く検出することができる。
【００１３】
本発明の線路状態検出装置は、前記不平衡成分検出部が、前記一対の導体間の不平衡成分を直接検出するものを含む。
【００１４】
本発明の線路状態検出装置は、前記不平衡成分検出部が、前記導体に流れる電流又は前記導体の電圧又はその両方を、各々の導体別に検出し、前記導体別の電流の差分又は前記導体別の電圧の差分又はその両方を求めることによって前記不平衡成分を算出するものを含む。
【００１５】
本発明の線路状態検出装置は、前記一対の導体が、電力線であるものを含む。
【００１６】
本発明の線路状態検出装置は、前記パイロット信号が、信号レベルが既知の単一キャリア信号であるものを含む。
【００１７】
本発明の線路状態検出装置は、前記パイロット信号が、信号レベルが既知でかつ通信周波数帯域にわたりスィープする単一キャリア信号であるものを含む。本発明によれば、通信帯域全体の平衡状態を確実に検出することができる。
【００１８】
本発明の線路状態検出装置は、前記パイロット信号が、送信フレーム毎に異なる周波数の信号であるものを含む。本発明によれば、通信に対する影響を大きくせずに伝送線路の平衡状態を検出することができ、データ転送レートを高くすることができる。なお、ここで、不平衡成分を検出するためのパイロット信号は、単一キャリア信号に限定されない。
【００１９】
本発明の線路状態検出装置は、前記パイロット信号が、通信周波数帯域において使用する全てのキャリア信号であって信号レベルが既知のキャリア信号であるものを含む。本発明によれば、必要な周波数帯域における平衡状態を同時に、短時間で検出することができる。
【００２０】
本発明の線路状態検出装置は、前記複数のキャリア信号のうちの隣接したキャリア信号が、互いに直交した信号であるものを含む。本発明によれば、複数のキャリア信号が互いに干渉せず、パイロット信号の振幅が大きくならない。したがって、データの送信に大きな影響を与えずに、伝送線路の平衡状態を検出することができる。
【００２１】
本発明の線路状態検出装置は、前記パイロット信号が、通信周波数帯域において使用する全てのキャリア信号のうちの離散的に選択した複数のキャリア信号であって信号レベルが既知のキャリア信号であるものを含む。本発明によれば、少ないキャリア数で通信帯域全域の平衡状態を、短時間で検出することができる。また、既知の妨害がある周波数を避けることができるので、平衡状態の検出精度を向上させることができる。
【００２２】
本発明の線路状態検出装置は、前記パイロット信号の周波数以外の通信帯域の前記不平衡成分を、前記不平衡成分検出部の出力に基づいて算出する算出部を備えるものを含む。
【００２３】
本発明の線路状態検出装置は、前記算出部が、前記パイロット信号の周波数以外の通信帯域の前記不平衡成分を、前記不平衡成分検出部の出力のうちの隣接する周波数帯域の出力の相加平均によって算出するものを含む。
【００２４】
本発明の線路状態検出装置は、前記算出部が、前記パイロット信号の周波数以外の通信帯域の前記不平衡成分を、前記不平衡成分検出部の出力のうちの隣接する周波数帯域の出力の重み付け平均によって算出するものを含む。
【００２５】
本発明の線路状態検出装置は、前記算出部が、前記不平衡成分検出部が出力する周波数帯域の外側の帯域の前記不平衡成分を、最隣接の周波数帯域の前記パイロット信号から得られる前記不平衡成分で代用するものを含む。
【００２６】
本発明の線路状態検出装置は、前記パイロット信号が、通信周波数帯域において使用する複数キャリア信号であって信号レベルが既知の第１のキャリア信号と、前記第１のパイロット信号として送信後、更に送信される信号レベルが既知の特定周波数の単一キャリア信号であるものを含む。本発明によれば、通信帯域全域の平衡状態を短時間で検出するとともに、特定の周波数帯域の状態を精度良く検出することができる。
【００２７】
本発明の線路状態検出装置は、前記特定周波数の単一キャリア信号が、前記第１のキャリア信号を利用して検出した不平衡成分が大きい周波数帯域のキャリア信号であるものを含む。本発明によれば、不平衡成分の検出を短時間で精度良く行うことができ、処理負担を大きくすることなく、高精度の平衡状態の監視が可能となる。例えば、通信帯域全域の平衡状態を検出することにより、平衡状態を監視する必要性が高い周波数帯域を抽出した後は、その周波数帯域の監視のみで平衡状態の変化を検出することができる。
【００２８】
本発明の線路状態検出装置は、前記パイロット信号が、伝送すべきデータの伝送停止期間に送信されるものであるものを含む。本発明によれば、通信中であっても通信停止中であっても同様の方法で平衡状態を検出することができる。
【００２９】
本発明の線路状態検出装置は、前記パイロット信号が、伝送すべきデータの信号列内の一部又は複数の部分に含まれて送信されるものであるものを含む。本発明によれば、特別の検出時間を割り当てることなく通信中に平衡状態の検出が可能となる。
【００３０】
本発明の線路状態検出装置は、前記パイロット信号が、通信システム共通の基準タイミング信号から一定の時間内に送信されるものであるものを含む。本発明によれば、平衡状態検出のための処理タイミングを簡単に認識することができる。
【００３１】
本発明の線路状態検出装置は、前記パイロット信号が、通信システム共通の基準タイミング信号から一定の時間内に、当該通信システムを構成する各通信装置に対応したタイミングで時分割で送信されるものであるものを含む。本発明によれば、平衡状態検出のための処理タイミングを各通信装置毎に簡単に認識することができる。
【００３２】
本発明の線路状態検出装置は、前記パイロット信号が、当該通信システムを構成する通信装置毎に割り当てられ、割り当てられたそれぞれのパイロット信号は、通信周波数帯域内で、互いに異なる帯域で送信されるものであるものを含む。本発明によれば、複数の端末で同時にパイロット信号を検出することができる。
【００３３】
本発明の線路状態検出装置は、前記パイロット信号が、受信側でのＡＧＣ（Ａｕｔｏ  Ｇａｉｎ  Ｃｏｎｔｒｏｌ）のために送信されるＡＧＣ基準信号であるものを含む。本発明によれば、ＡＧＣの動作点を決めるために挿入されるリファレンス信号であるＡＧＣ基準信号を、前記不平衡成分を検出するためのパイロット信号として使用するので、検出用の信号を作成するための手段が不要になる。また、パイロット信号送信のための時間が不要となり、データ伝送レートが向上する。
【００３４】
本発明の線路状態検出装置は、前記パイロット信号が、伝送線路の伝送特性を推定するための特性推定用基準信号であるものを含む。本発明によれば、伝送線路の伝送特性を推定して通信に適する使用可能な帯域を決めるためのリファレンス信号である特性推定用基準信号を、前記不平衡成分を検出するためのパイロット信号として使用するので、検出用の信号を作成するための手段が不要になる。また、パイロット信号送信のための時間が不要となり、データ伝送レートが向上する。
【００３５】
本発明の線路状態検出装置は、前記パイロット信号が、受信側での復調のための復調用基準信号であるものを含む。本発明によれば、復調同期のために挿入されるリファレンス信号である復調基準信号を、前記不平衡成分を検出するためのパイロット信号として使用するので、検出用の信号を作成するための手段が不要になる。また、パイロット信号送信のための時間が不要となり、データ伝送レートが向上する。
【００３６】
本発明の線路状態検出装置は、前記パイロット信号が、通信信号の先頭を示すヘッダ信号であるものを含む。本発明によれば、通信信号の先頭を示すために挿入されるヘッダ信号を、前記不平衡成分を検出するためのパイロット信号として使用するので、検出用の信号を作成するための手段が不要になる。また、パイロット信号送信のための時間が不要となり、データ伝送レートが向上する。
【００３７】
本発明の線路状態検出装置は、前記パイロット信号が、商用電源のゼロクロス点又はその近傍で送信されるものであるものを含む。本発明によれば、電力線を伝送線路とする場合に、その電力線に接続される整流器付きの機器、特に半波整流器付きの機器の影響を確実に検出することができる。
【００３８】
本発明の線路状態検出装置は、前記パイロット信号が、商用電源のゼロクロス点から９０度となる位相又はその近傍又は前記ゼロクロス点から−９０度となる位相又はその近傍で送信されるものであるものを含む。
【００３９】
本発明の線路状態検出装置は、前記パイロット信号が、商用電源のゼロクロス点から一定の期間内に送信されるものであるものを含む。本発明によれば、複数の通信装置のためのパイロット信号を、基準タイミング信号を利用することなく送信することができる。
【００４０】
本発明の通信装置は、一対の導体を用いてデータ伝送を行う平衡伝送システムに用いる通信装置であって、上記したパイロット信号を含む送信信号を送信する送信部と、上記した線路状態検出装置からなる送信時線路状態検出装置を備え、前記送信時線路状態検出装置における前記不平衡成分検出部は、前記送信部から送信される前記パイロット信号伝送時の前記一対の導体の状態に基づき前記不平衡成分を検出するものである。
【００４１】
本発明の通信装置は、前記送信側線路状態検出装置の出力に基づき、前記導体に対し出力する送信信号を制御する送信信号制御部を備えるものを含む。
【００４２】
本発明の通信装置は、前記送信信号制御部が、前記伝送線路の不平衡成分を低減させる制御を行うものを含む。
【００４３】
本発明の通信装置は、前記送信信号制御部が、前記送信信号の送信電力を制御するものを含む。
【００４４】
本発明の通信装置は、前記送信信号制御部が、通信に利用するキャリアの選択を行うものを含む。
【００４５】
本発明の通信装置は、一対の導体を用いてデータ伝送を行う平衡伝送システムに用いる通信装置であって、上記した線路状態検出装置からなる受信時線路状態検出装置を備え、前記受信時線路状態検出装置における前記不平衡成分検出部は、他の通信装置から送信される前記パイロット信号伝送時の前記一対の導体の状態に基づき前記不平衡成分を検出するものを含む。
【００４６】
本発明の通信装置は、前記受信時線路状態検出装置の出力に基づき、前記導体に対し出力する送信信号を制御する送信信号制御部を備えるものを含む。
【００４７】
本発明の通信装置は、前記送信信号制御部が、前記伝送線路の不平衡成分を低減させる制御を行うものを含む。
【００４８】
本発明の通信装置は、前記送信信号制御部が、前記送信信号の送信電力を制御するものを含む。
【００４９】
本発明の通信装置は、前記送信信号制御部が、通信に利用するキャリアの選択を行うものを含む。
【００５０】
本発明の伝送システムは、一対の導体を用いてデータ伝送を行う平衡伝送システムであって、上記した送信時線路状態検出装置を含む通信装置を備えるものである。
【００５１】
本発明の伝送システムは、さらに上記した受信時線路状態検出装置を含む通信装置を備えるものである。
【００５２】
本発明の通信方法は、一対の導体を用いてデータ伝送を行う通信方法であって、前記一対の導体間の不平衡成分を検出するためのパイロット信号を送信する工程と、前記パイロット信号を伝送時の前記一対の導体の状態に基づき前記不平衡成分を検出する工程を備えるものである。
【発明の効果】
【００５３】
以上の説明から明らかなように、本発明によれば、平衡伝送システムにおける伝送線路の平衡状態を簡単に精度良く検出することが可能な線路状態検出装置を提供することができる。また、伝送線路の平衡状態を検出結果に基づいて制御でき、平衡度を向上させることが可能な通信装置及び平衡伝送システムを提供することができる。
【発明を実施するための最良の形態】
【００５４】
以下、本発明の実施の形態について、図面を用いて説明する。
【００５５】
（第１の実施の形態）
図１に、本発明の第１の実施の形態を説明するための平衡伝送システムの一例の概略構成を示す。図１の平衡伝送システムは、第１通信装置１００と第２の通信装置２００との間で、電力線等の一対の導体からなる伝送線路３００を介して通信を行うものである。
【００５６】
第１通信装置１００は、送信信号生成部１１、送信制御部１２（送信部）、不平衡成分検出部１３、パイロット信号生成部１４を含んで構成され、第２通信装置２００は、送信信号生成部２１、送信制御部２２、不平衡成分検出部２３を含んで構成される。なお、図１においては信号の送信に関係する要素のみを示し、信号の受信に関係する要素等の他の要素を省略して示してある。また、伝送線路３００には、第１通信装置１００と第２通信装置２００の２つの通信装置のみが接続されているが、さらに別の通信装置が接続される場合もある。伝送線路３００に接続される複数の通信装置は、第１の通信装置１００であっても第２の通信装置２００であってもよいが、少なくとも１つの通信装置は第１の通信装置１００である。
【００５７】
送信信号生成部１１は、伝送線路３００を介して送信すべき送信信号、複数のサブキャリアを用いた伝送を行うための送信信号（マルチキャリア送信信号）を生成するものである。複数のサブキャリアを用いた伝送方式は、例えば、ウェーブレット変換を利用するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式である。送信信号生成部１１は、パイロット信号生成部１４で生成されたパイロット信号を合わせて送信する。パイロット信号の送信タイミング等の情報は、不平衡成分検出部１３に送られる。なお、パイロット信号は、伝送線路の不平衡成分を検出するために送信される信号であり、詳細は後述する。
【００５８】
送信制御部１２は、送信信号生成部１１で生成された送信信号を伝送線路の状態に応じて制御するもので、例えば、送信信号の平衡度制御、送信電力制御を行う。これらの制御は、不平衡成分検出部１３で検出された伝送線路３００の不平衡成分（伝送線路３００を構成する一対の導体間の不平衡成分）を減少させるための制御である。
【００５９】
送信信号の平衡度制御を行う場合、例えば、不平衡成分に基づいて算出した補償信号を一対の送信信号それぞれに加算する。図２は、平衡度制御の一例の概念図である。図２において、送信信号生成部１１からの送信信号ｅ、−ｅは、補償信号ｅｃが加算されて、それぞれ導体３１、３２に送信される。また、送信信号の送信電力制御を行う場合、例えば、伝送線路３００の一対の導体３１、３２それぞれに接続された増幅器（図示せず）の増幅度を制御する。
【００６０】
なお、図１の例では送信制御部１２の制御により、主としてアナログ処理により不平衡成分を減少させるようにしたが、送信信号生成部１１に不平衡成分の情報を送り、デジタル処理により不平衡成分を減少させた送信信号を生成するようにしてもよい。また、不平衡成分が大きい周波数帯域のサブキャリアを不使用とすることによって、伝送線路３００の不平衡成分を減少させるようにしてもよい。
【００６１】
不平衡成分検出部１３は、伝送線路３００を構成する一対の導体間の不平衡成分を検出するものであり、パイロット信号を伝送時の不平衡成分を検出する。図３に、不平衡成分検出部１３の一例の概略構成を示す。図３に示すものは、一対の導体間の不平衡成分を直接検出するもので、カレントトランス４１が導体３１、３２に直列に接続される。カレントトランス４１の２次巻線を図３に示すように導体３１、３２の同一方向の電流を検出するように接続すると、２次巻線電流は、導体３１、３２間の不平衡成分を示すことになる。不平衡成分検出部１３は、この２次巻線電流に基づいて導体３１、３２間の不平衡成分信号を出力する。
【００６２】
図４に、不平衡成分検出部１３の他の例の概略構成を示す。図４に示すものは、一対の導体間の不平衡成分を間接的に検出するもので、伝送線路を構成する導体３１、３２に流れる電流を別々に検出し、それらの差分を求めることによって、不平衡成分を算出する。  導体３１、３２に流れる電流は、導体３１、３２に直列に接続されたインピーダンス５１ａ、５１ｂの両端電圧を電圧検出器５２ａ、５２ｂで検出することにより求める。不平衡成分検出部１３は、電圧検出器５２ａ、５２ｂの電圧値に基づいて導体３１、３２間の不平衡成分信号を出力する。なお、図４の例では、導体３１、３２に流れる電流の差分を求めることにより不平衡成分を算出したが、導体３１，３２の電圧を個別に検出し、それたの差分を求めることによって算出することも可能である。また、電流の差分と電圧の差分の両方を利用してもよい。
【００６３】
パイロット信号生成部１４は、伝送線路３００の不平衡成分を検出するために伝送線路３００に送信されるパイロット信号を生成するものである。伝送線路３００の不平衡成分は、伝送線路３００に信号を伝送中の不平衡成分を検出するものであるので、伝送中の信号が既知で良質のものであることが好ましい。具体的には、周波数帯域が使用する帯域全体にわたっており、信号の素性（レベル、質等）が既知であり、パイロット信号を送信することによって通常の通信動作を妨げないものであることが好ましい。また、パイロット信号の生成に特殊な回路等を付加する必要がなく、短時間の送信で不平衡成分の検出が可能であり、さらに適切な周期で送信でき、状況の変化に対応して変更できるものであることが好ましい。パイロット信号の具体例については、後述する。
【００６４】
以上のような構成を有する第１の通信装置１００は、パイロット信号生成部１４で生成したパイロット信号を所定のタイミングで送信し、パイロット信号伝送時の伝送線路３００の不平衡成分を不平衡成分検出部１３で検出し、検出した不平衡成分に基づいて送信制御部１２によって不平衡成分が減少するように送信信号を制御する。
【００６５】
第２の通信装置２００の送信信号生成部２１、送信制御部２２、不平衡成分検出部２３は、第１の通信装置１００の送信信号生成部１１、送信制御部１２、不平衡成分検出部１３と同様であるので詳細な説明は省略する。ただし、不平衡成分検出部２３は、上記したパイロット信号を受信中の伝送線路３００の不平衡成分を検出する。送信制御部２２は、検出した不平衡成分に基づいて送信信号生成部２１からの送信信号を制御する。
【００６６】
次に、パイロット信号生成部１４が生成するパイロット信号の種類、及びパイロット信号の信号タイミングについて説明する。
【００６７】
（単一キャリア信号）
単一キャリア信号をパイロット信号として利用する場合の動作の一例を、図５を用いて説明する。図５（ａ）に、パイロット信号と通信帯域との関係を示し、図５（ｂ）及び（ｃ）にパイロット信号の送信タイミングを示す。
【００６８】
図５（ａ）に示すように、パイロット信号５０１は、通信帯域内の任意の周波数のキャリア信号であり、その信号レベルは既知である。パイロット信号５０１は、送信信号の始まりを示すヘッダ信号（以下、単にヘッダ信号）、データ信号、送信信号の終わりを示す終了信号（以下、単に終了信号）からなる送信データに先立って送信されてもよいし（図５（ｂ）参照）、ヘッダ信号とデータ信号の間に送信されてもよい（図５（ｃ）参照）。  この場合、不平衡成分検出部１３、２３は、伝送線路３００の特定の周波数帯域における不平衡成分を検出することになり、この不平衡成分信号によって、送信制御部１２、２２を制御する。
【００６９】
単一キャリア信号をパイロット信号として利用する場合の動作の他の例を、図６を用いて説明する。図６（ａ）に、パイロット信号と通信帯域との関係を示し、図６（ｂ）にパイロット信号の送信タイミングを示す。図６のパイロット信号６０１は、通信周波数帯域にわたりスィープした単一キャリア信号である。このパイロット信号６０１を送信すると、通信帯域全体における不平衡成分を確実に検出することができる。
【００７０】
単一キャリア信号をパイロット信号として利用する場合の動作のさらに別の例を、図７に示すパイロット信号の送信タイミングを用いて説明する。図７のパイロット信号７０１、７０２は、異なる周波数のキャリア信号であり、送信フレーム毎に変えて送信する。図７の例では、ｎ番目の信号列中にパイロット信号７０１を送信し、ｎ＋１番目の信号列中にパイロット信号７０２を送信している。このようなパイロット信号を送信すると、一定のフレーム送信後には、通信帯域全体の不平衡成分を検出することができる。また、通信に対する影響が大きくせずに伝送線路の平衡状態を検出することができ、データ転送レートを高くすることができる。
【００７１】
なお、図７例では送信するパイロット信号を単一キャリア信号として説明したが、マルチキャリア信号でも問題ない。その場合使用するキャリアをフレーム毎に選択することにより、通信帯域全体の不平衡成分を短時間で検出することができる。
【００７２】
（マルチキャリア信号）
複数のキャリア信号をパイロット信号として利用する場合の動作の一例を、図８を用いて説明する。図８（ａ）に、パイロット信号と通信帯域との関係を示し、図８（ｂ）にパイロット信号の送信タイミングを示す。
【００７３】
図８（ａ）に示すように、パイロット信号８０１は、通信帯域内の全ての周波数のキャリア信号であり、その信号レベルは既知である。パイロット信号８０１は、図８（ｂ）の例ではヘッダ信号とデータ信号の間に送信される。このようなパイロット信号を送信すると、必要な周波数帯域における不平衡成分を同時に、短時間で検出することができる。また、複数のキャリア信号のうちの互いに隣接したキャリア信号は、互いに直交したキャリア信号とすることにより、互いに干渉せず、パイロット信号の振幅が大きくならないので、データの送信に大きな影響を与えずに、伝送線路の平衡状態を検出することができる。
【００７４】
複数のキャリア信号をパイロット信号として利用する場合の動作の他の例を、図９を用いて説明する。図９（ａ）に、パイロット信号と通信帯域との関係を示し、図９（ｂ）にパイロット信号の送信タイミングを示す。
【００７５】
図９（ａ）に示すように、パイロット信号９０１は、通信帯域において使用する全てのキャリア信号のうちの離散的に選択した複数のキャリア信号である（図９（ａ）における破線は、通信に使用するキャリアであるがパイロット信号に含まれないキャリアを示す。）。パイロット信号９０１は、図９（ｂ）の例ではヘッダ信号とデータ信号の間に送信される。
【００７６】
このようなパイロット信号９０１を送信すると、少ないキャリア数で離散的ではあるが通信帯域全域にわたる不平衡成分を、短時間で検出することができる。また、既知の妨害がある周波数（図９（ａ）における番号９０２）を避けることができるので、平衡状態の検出精度を向上させることができる。
【００７７】
通信帯域全体の全キャリアに対応する領域の不平衡成分を検出する際には、パイロット信号に含まれる領域の不平衡成分に基づいて所定の演算を行って算出を行う。この算出を行う算出部は、不平衡成分検出部１３、２３が兼ねてもよいし、不平衡成分検出部１３、２３の外部に算出部（図示せず）を設けてもよい。このような演算としては、例えば、隣接する周波数帯域の不平衡成分出力の相加平均や重み付け平均が採用できる。また、不平衡成分検出部１３、２３が出力する周波数帯域の外側の帯域の不平衡成分については、最隣接の周波数帯域の不平衡成分で代用する。
【００７８】
（単一キャリア信号とマルチキャリア信号）
複数のキャリア信号をパイロット信号として利用した後、単一キャリア信号をパイロット信号として利用する場合の動作の一例を、図１０を用いて説明する。図１０（ａ）に、複数のキャリア信号である第１のパイロット信号１００１と通信帯域との関係を示し、図１０（ｂ）に単一キャリア信号である第２のパイロット信号１００２と通信帯域との関係を示す。
【００７９】
第１のキャリア信号１００１は、図８（ａ）に示すパイロット信号８０１と同様、通信帯域内の全ての周波数のキャリア信号であり、その信号レベルは既知である。また、第２のキャリア信号１００２は、図５（ａ）に示すパイロット信号５０１と同様特定周波数の単一キャリア信号である。第２のキャリア信号１００２は、特定の周波数における伝送線路の平衡状態を検出するためのもので、例えば、不平衡成分の詳細データを把握したり、運用環境等に応じた特定の監視周波数における不平衡成分を検出したりする目的等で利用される。
【００８０】
この例では、第１のパイロット信号１００１を短時間送信して通信帯域全体の不平衡成分を同時に検出した後、第２のパイロット信号１００２を送信して選択された周波数帯域における不平衡成分を高精度で検出する。
【００８１】
複数のキャリア信号をパイロット信号として利用した後、単一キャリア信号をパイロット信号として利用する場合の動作の他の例を、図１１を用いて説明する。図１１（ａ）に、複数のキャリア信号である第１のパイロット信号１１０１と通信帯域との関係を示し、図１１（ｃ）に単一キャリア信号である第２のパイロット信号１１０２と通信帯域との関係を示す。また、図１１（ｂ）は、第１のパイロット信号１１０１を送信して検出した不平衡成分１１０３を示す。
【００８２】
第１のキャリア信号１１０１は、図８（ａ）に示すパイロット信号８０１と同様、通信帯域内の全ての周波数のキャリア信号であり、その信号レベルは既知である。また、第２のキャリア信号１１０２は、図５（ａ）に示すパイロット信号５０１と同様特定周波数の単一キャリア信号である。第２のキャリア信号１１０２は、図１１（ｂ）に示す不平衡成分の大きさに基づいて選択した周波数の単一キャリア信号である。
【００８３】
この例では、第１のパイロット信号１１０１を短時間送信して通信帯域全体の不平衡成分を同時に検出した後、不平衡成分が大きい周波数帯域（つまり不平衡成分１１０３のピークを含む帯域）に第２のパイロット信号１１０２を送信して平衡状態がよくない領域の不平衡成分を高精度で検出する。不平衡成分の検出を短時間で精度良く行うことができ、処理負担を大きくすることなく、高精度の平衡状態の監視が可能となる。
【００８４】
（パイロット信号の送信タイミング）
パイロット信号の送信タイミングについて、図１２から図１９を用いて説明する。
【００８５】
図１２は、伝送すべきデータの伝送停止期間に送信される場合の送信タイミングを示す図である。図１２に示すようにパイロット信号１２０１は、ｎ番目の信号列とｎ＋１番目の信号列との間に送信され、パイロット信号１２０２は、ｎ＋１番目の信号列と図示しないｎ＋２番目の信号列との間に送信される。このタイミングで送信するようにすると、通信中であっても通信停止中であっても同様の方法で平衡状態を検出することができる。
【００８６】
図１３は、伝送すべきデータの信号列内に含まれて送信される場合の送信タイミングを示す図である。図１３に示すようにパイロット信号１３０１は、ヘッダ信号とデータ信号との間に送信される。このタイミングで送信するようにすると、特別の検出時間を割り当てることなく通信中に平衡状態の検出が可能となる。なお、図１３の例では、１つの信号列中の１箇所にパイロット信号を挿入したが複数箇所に挿入してもよい。
【００８７】
図１４、図１５は、通信システム共通の基準タイミング信号（以下、ビーコン信号と記述する。）を基準としたタイミングで送信される場合の送信タイミングを示す図である。
【００８８】
図１４は、ビーコン信号送出から一定の時間ｔ後にパイロット信号１４０１を送信する場合を示すものである。このタイミングでパイロット信号を送信すると、不平衡成分検出部１３、２３は平衡状態検出のための処理タイミングを簡単に認識することができる。なお、図１４における一定の時間ｔは、ビーコン信号の前縁からの時間としたが、後縁からの時間としてもよい。
【００８９】
図１５は、ビーコン信号送出から一定の時間ｔ後に、各通信装置に対応したパイロット信号１５０１〜１５０ｎを時分割で送信する場合を示すものである。このタイミングでパイロット信号を送信すると、各通信装置毎の不平衡成分検出部１３、２３は平衡状態検出のための処理タイミングを簡単に認識することができる。なお、図１５における一定の時間ｔは、ビーコン信号の前縁からの時間としたが、後縁からの時間としてもよい。
【００９０】
図１６は、通信システムを構成する複数の通信装置毎に割り当てられたパイロット信号を送信する場合の動作を説明するための図である。図１６（ａ）は、通信帯域を示し、図１６（ｂ）は、パイロット信号１６０１、１６０２の異なる周波数帯域を示す。すなわち、パイロット信号１６０１は領域Ａのキャリア信号であり、パイロット信号１６０２は領域Ｂのキャリア信号である。また、図１６（ｃ）及び図１６（ｄ）は、異なる通信装置でのパイロット信号検出タイミングを示す。この場合、パイロット信号が、通信システムを構成する通信装置毎に割り当てられ、割り当てられたそれぞれのパイロット信号は、通信周波数帯域内で、互いに異なる帯域で送信される。このタイミングでパイロット信号を送信すると、複数の端末で同時にパイロット信号を検出することができる。また、各パイロット信号をさらに時間分割で送信することも可能である。
【００９１】
電力線通信等に適用する場合のパイロット信号の送信タイミングについて、図１７から図１９を用いて説明する。
【００９２】
図１７は、パイロット信号を商用電源のゼロクロス点の近傍で送信する場合の送信タイミングを示すものである。図１７に示すようにパイロット信号１７０１は、商用電源のゼロクロス点１７０２の近傍で送信される。商用電源は、期間１７０３で周辺機器、特に半波整流器付きの機器の影響を受け易いので、ゼロクロス点１７０２の近傍で送信することにより周辺機器の影響を受けることなく、不平衡成分を確実に検出することができる。なお、パイロット信号をゼロクロス点で送信することも可能である。
【００９３】
図１８は、パイロット信号を商用電源のゼロクロス点から９０度の近傍で送信する場合の送信タイミングを示すものである。図１８に示すようにパイロット信号１８０１は、商用電源のゼロクロス点１８０２から９０度となる位相で送信される。この期間１８０３は周辺機器、特に半波整流器付きの機器の影響を受け易いので、周辺機器の影響を確実に検出することができる。なお、図１８では、商用電源のゼロクロス点１８０２から９０度となる位相で送信したが、ゼロクロス点から−９０度となる位相で送信しても効果は同様である。
【００９４】
図１９は、パイロット信号を商用電源のゼロクロス点を基準として一定期間内に送信する場合の送信タイミングを示すものである。図１９の例では、複数の通信装置に対応した複数のパイロット信号１９０１、１９０２、・・１９０ｎを送信する例が示されている。  このようなタイミングでパイロット信号を送信すると、ビーコン信号を利用することなく正確なタイミングで送信することができる。
【００９５】
（第２の実施の形態）
図２０に、本発明の第２の実施の形態を説明するための平衡伝送システムの一例の概略構成を示す。第１の実施の形態と異なる点は、パイロット信号生成部１４が省略されている点である。パイロット信号としては、データの送信列に含まれる通信制御用の信号を利用する。具体的には、受信側でのＡＧＣ（Ａｕｔｏ  Ｇａｉｎ  Ｃｏｎｔｒｏｌ）のために送信されるＡＧＣ基準信号（例えば、受信回路の利得を制御する基準信号）、伝送線路の伝送特性を推定するための特性推定用基準信号、受信側での復調のための復調用基準信号（例えば位相や振幅の基準信号）、通信信号の先頭を示すヘッダ信号等を利用する。
【００９６】
図２０に示される第２通信装置２００は、さらに信号増幅回路２４１、ＡＧＣ回路２４２、復調回路２４３を備える受信部２４、データ処理部２５を含んでおり、ＡＧＣ制御、伝送特性推定等を行う。信号増幅回路のＡＧＣ制御、伝送特性推定処理は、周知であるので説明を省略する。
【００９７】
第２の実施の形態を説明するための平衡伝送システムにおけるパイロット信号の送信タイミングについて、図２１〜図２４を用いて説明する。
【００９８】
図２１は、ＡＧＣ基準信号２１０１を利用する場合を示す。図２１に示すように、ＡＧＣ基準信号２１０１はデータ信号に先立って送信される。
【００９９】
図２２は、伝送線路の伝送特性を推定するための特性推定用基準信号２２０１を利用する場合を示す。図２２に示すように、特性推定用基準信号２２０１はヘッダ信号とデータ信号の間に送信される。
【０１００】
図２３は、受信側での復調のための復調用基準信号２３０１を利用する場合を示す。図２３に示すように、復調用基準信号２３０１はヘッダ信号とデータ信号の間に送信される。
【０１０１】
図２４は、通信信号の先頭を示すヘッダ信号２４０１を利用する場合を示す。図２４に示すように、ヘッダ信号２４０１は通信信号の先頭に送信される。
【産業上の利用可能性】
【０１０２】
本発明は、一対の導体を用いてデータ伝送を行う平衡伝送システムにおいて、平衡伝送システムにおける伝送線路の平衡状態を簡単に精度良く検出することができる線路状態検出装置等として有用である。また、伝送線路の平衡状態を検出結果に基づいて制御でき、平衡度を向上させることが可能な平衡伝送システムの通信装置、通信方法等として有用である。
【図面の簡単な説明】
【０１０３】
【図１】本発明の第１の実施の形態を説明するための平衡伝送システムの一例の概略構成を示す図
【図２】本発明の第１の実施の形態を説明するための平衡伝送システムにおける平衡度制御の一例の概念図
【図３】本発明の第１の実施の形態を説明するための平衡伝送システムにおける不平衡成分検出部の一例の概略構成を示す図
【図４】本発明の第１の実施の形態を説明するための平衡伝送システムにおける不平衡成分検出部の他の例の概略構成を示す図
【図５】本発明の第１の実施の形態を説明するための平衡伝送システムにおいて、単一キャリア信号をパイロット信号として利用する場合の動作の一例を説明する図
【図６】本発明の第１の実施の形態を説明するための平衡伝送システムにおいて、単一キャリア信号をパイロット信号として利用する場合の動作の他の例を説明する図
【図７】本発明の第１の実施の形態を説明するための平衡伝送システムにおいて、単一キャリア信号をパイロット信号として利用する場合の動作のさらに別の例を説明する図
【図８】本発明の第１の実施の形態を説明するための平衡伝送システムにおいて、複数のキャリア信号をパイロット信号として利用する場合の動作の一例を説明する図
【図９】本発明の第１の実施の形態を説明するための平衡伝送システムにおいて、複数のキャリア信号をパイロット信号として利用する場合の動作の他の例を説明する図
【図１０】本発明の第１の実施の形態を説明するための平衡伝送システムにおいて、複数のキャリア信号をパイロット信号として利用した後、単一キャリア信号をパイロット信号として利用する場合の動作の一例を説明する図
【図１１】本発明の第１の実施の形態を説明するための平衡伝送システムにおいて、複数のキャリア信号をパイロット信号として利用した後、単一キャリア信号をパイロット信号として利用する場合の動作の他の例を説明する図
【図１２】本発明の第１の実施の形態を説明するための平衡伝送システムにおいて、伝送すべきデータの伝送停止期間にパイロット信号を送信する場合の送信タイミングを示す図
【図１３】本発明の第１の実施の形態を説明するための平衡伝送システムにおいて、伝送すべきデータの信号列内に含めてパイロット信号を送信する場合の送信タイミングを示す図
【図１４】本発明の第１の実施の形態を説明するための平衡伝送システムにおいて、ビーコン信号送出から一定の時間後にパイロット信号を送信する場合の送信タイミングを示す図
【図１５】本発明の第１の実施の形態を説明するための平衡伝送システムにおいて、ビーコン信号送出から一定の時間後に、各通信装置に対応したパイロット信号を時分割で送信する場合の送信タイミングを示す図
【図１６】本発明の第１の実施の形態を説明するための平衡伝送システムにおいて、通信システムを構成する複数の通信装置毎に割り当てられたパイロット信号を送信する場合の動作を説明するための図
【図１７】本発明の第１の実施の形態を説明するための平衡伝送システムにおいて、パイロット信号を商用電源のゼロクロス点の近傍で送信する場合の送信タイミングを示す図
【図１８】本発明の第１の実施の形態を説明するための平衡伝送システムにおいて、パイロット信号を商用電源のゼロクロス点から９０度の近傍で送信する場合の送信タイミングを示す図
【図１９】本発明の第１の実施の形態を説明するための平衡伝送システムにおいて、パイロット信号を商用電源のゼロクロス点を基準として一定期間内に送信する場合の送信タイミングを示す図
【図２０】本発明の第２の実施の形態を説明するための平衡伝送システムにおける平衡度制御の一例の概念図
【図２１】第２の実施の形態を説明するための平衡伝送システムにおけるパイロット信号の送信タイミングを説明する図
【図２２】第２の実施の形態を説明するための平衡伝送システムにおけるパイロット信号の送信タイミングを説明する図
【図２３】第２の実施の形態を説明するための平衡伝送システムにおけるパイロット信号の送信タイミングを説明する図
【図２４】第２の実施の形態を説明するための平衡伝送システムにおけるパイロット信号の送信タイミングを説明する図
【図２５】従来の平衡伝送装置の送信部及び伝送線路の一例を示す図
【符号の説明】
【０１０４】
１００・・・第１通信装置
２００・・・第２通信装置
３００・・・伝送線路
１１、２１・・・送信信号生成部
１２、２２・・・送信制御部
１３、２３・・・不平衡成分検出部
１４・・・パイロット信号生成部
２４・・・受信部
２５・・・データ処理部
２４１・・・信号増幅回路
２４２・・・ＡＧＣ回路
２４３・・・復調回路
３１、３２・・・導体
４１・・・カレントトランス
５１ａ、５１ｂ・・・インピーダンス
５２ａ、５２ｂ・・・電圧検出器
【図１】
2006186734.tif 000003
【図２】
2006186734.tif 000004
【図３】
2006186734.tif 000005
【図４】
2006186734.tif 000006
【図５】
2006186734.tif 000007
【図６】
2006186734.tif 000008
【図７】
2006186734.tif 000009
【図８】
2006186734.tif 000010
【図９】
2006186734.tif 000011
【図１０】
2006186734.tif 000012
【図１１】
2006186734.tif 000013
【図１２】
2006186734.tif 000014
【図１３】
2006186734.tif 000015
【図１４】
2006186734.tif 000016
【図１５】
2006186734.tif 000017
【図１６】
2006186734.tif 000018
【図１７】
2006186734.tif 000019
【図１８】
2006186734.tif 000020
【図１９】
2006186734.tif 000021
【図２０】
2006186734.tif 000022
【図２１】
2006186734.tif 000023
【図２２】
2006186734.tif 000024
【図２３】
2006186734.tif 000025
【図２４】
2006186734.tif 000026
【図２５】
2006186734.tif 000027